(57)【要約】【課題】ハウジングにコンタクトを保持した際に、ハウジングに作用する応力を極力少なくして、ハウジングに発生する反りや歪みをなくしつつ、コンタクトをハウジングに確実に保持することができるコンタクトの保持構造を提供する。【解決手段】コンタクトの保持構造は、コンタクト２０が挿入される側の上面１０ａと当該上面１０ａと反対側の下面１０ｂとの間を貫通するスロット１１を有するハウジング１０と、スロット１１に挿入されるスロット挿入部２２を有するコンタクト２０とを備える。コンタクト２０は、スロット挿入部の下端に設けられた基板接続部２３と、スロット挿入部２２の上端に設けられ、ハウジング１０の上面１０ａに当接する当接部２１とを備える。コンタクト２０の基板接続部２３に半田ボール２５が取り付けられ、半田ボール２５と当接部２１とによりハウジング１０を挟み込むことでコンタクト２０がハウジング１０に保持される。【選択図】図２
2014060120.tif 000002
【特許請求の範囲】
【請求項１】
コンタクトが挿入される側の上面と当該上面と反対側の下面との間を貫通するスロットを有するハウジングと、前記スロットに挿入されるスロット挿入部を有する前記コンタクトとを備えたコンタクトの保持構造であって、
前記コンタクトは、前記スロット挿入部の下端に設けられた基板接続部と、前記スロット挿入部の上端に設けられ、前記ハウジングのコンタクトが挿入される側の前記上面に当接する当接部と、該当接部から延びる相手導体部との接触部とを備え、
前記コンタクトの基板接続部に半田ボールが取り付けられ、該半田ボールと前記コンタクトの前記当接部とにより前記ハウジングを挟み込むことで前記コンタクトが前記ハウジングに保持されることを特徴とするコンタクトの保持構造。
【請求項２】
前記ハウジングは、前記スロットの下端であって前記下面に半田ボールを配置するための凹部を形成したことを特徴とする請求項１記載のコンタクトの保持構造。
【請求項３】
前記当接部が前記ハウジングのコンタクトが挿入される側の前記上面に載置される、端縁及び両側縁を有する平板状に形成されていることを特徴とする請求項１又は２記載のコンタクトの保持構造。
【請求項４】
前記スロット挿入部は、前記当接部の両側縁から延びる１対のスロット挿入片で構成され、前記スロットは２個形成され、前記１対のスロット挿入片が前記２個のスロットに挿入されることを特徴とする請求項３記載のコンタクトの保持構造
【請求項５】
前記スロット挿入部は、前記当接部の片側縁から延びる１個のスロット挿入片で構成され、前記スロットは１個形成され、前記１個のスロット挿入片が前記１個のスロットに挿入されることを特徴とする請求項３記載のコンタクトの保持構造。
【請求項６】
前記スロット挿入部は、前記当接部の端縁から延びる１個のスロット挿入片で構成され、前記スロットは１個形成され、前記１個のスロット挿入片が前記１個のスロットに挿入されることを特徴とする請求項３記載のコンタクトの保持構造。
【請求項７】
前記スロット挿入部は、前記当接部の端縁から延びる１個のスロット挿入片と、前記当接部の両側縁から延びる１対のスロット挿入片とで構成され、前記スロットは３個形成され、前記３個のスロット挿入片が前記３個のスロットに挿入されることを特徴とする請求項３記載のコンタクトの保持構造。
【発明の詳細な説明】
【技術分野】
【０００１】
本発明は、ハウジングにコンタクトを保持するコンタクトの保持構造に関する。
【背景技術】
【０００２】
例えば、ＢＧＡ（Ｂａｌｌ  Ｇｒｉｄ  Ａｒｒａｙ）コネクタは、ハウジングの底壁に複数のスロットを格子状に形成し、これらスロットにコンタクトを収容している。各コンタクトは、ハウジングのスロット内に圧入される保持部と、保持部から上方に延びる接触部と、保持部から下方に延びる基板接続部とを備えている。接触部は、保持部から上方に延びて、ハウジングの相手コネクタとの嵌合面から突出し、相手コンタクトに接触するようになっている。また、基板接続部は、保持部から下方に延びて、ハウジングの、回路基板に装着される装着面に形成された開口内に配置される。そして、基板接続部には、半田ボールが取り付けられるようになっている。
【０００３】
ここで、各コンタクトは、その保持部がハウジングに形成されたスロットに圧入されることにより、ハウジングに保持される。保持部をスロットに圧入すると、ハウジングに応力が発生し、その応力によりハウジングに反りや歪みが発生する。
このようなハウジングに反りや歪みを少なくして、各コンタクトをハウジングに保持することができるコンタクトの保持構造として、従来、例えば、図８に示すものが知られている（特許文献１参照）。
【０００４】
図８に示すコンタクトの保持構造において、ハウジング１０１には、各コンタクト１１０を収容するスロット１０２が形成されている。スロット１０２は、コンタクト１１０が挿入される側の上面１０１ａから当該上面１０１ａと反対側の下面１０１ｂにかけて垂直に貫通する。スロット１０２の下端であってハウジング１０１の下面１０１ｂ側には、半田ボール１２０が配置される凹部１０１ｃが形成されている。
【０００５】
そして、スロット１０２の互いに対向する壁面からそれぞれ互い違い状に複数の突起１０２ａ，１０２ｂが突出形成されている。
また、コンタクト１１０は、複数の突起１０２ａ，１０２ｂに当接する保持部１１１と、保持部１１１から上方に延びる接触部（図示せず）と、保持部１１１から下方に延びる基板接続部１１２とを備えている。また、コンタクト１１０は、スロット１０２の一方の壁面に当接する凸部１１３を備えている。
【０００６】
コンタクト１１０の保持部１１１がスロット１０２内に挿入されと、その保持部１１１がスロット１０２の互いに対向する壁面に形成された突起１０２ａ，１０２ｂに当接し、凸部１１３がスロット１０２の一方の壁面に当接する。そして、この凸部１１３と、この凸部１１３が当接する壁面から突出する突出部１０２ａとにより、他方の壁面から突出する突起１０２ｂがコンタクト１１０を押圧する力を支える。これにより、コンタクト１１０をハウジング１０１に保持する。そして、半田ボール１２０がコンタクト１１０の基板接続部１１２に取り付けられる。
【０００７】
このように、スロット１０２の対向する壁面から突出する複数の突起１０２ａ，１０２ｂが互い違い状に配置されているため、コンタクト１１０の保持部１１１に当接したときに、全圧入とはならない。このため、コンタクト１１０がハウジング１０１によって保持されたときには、ハウジング１０１には大きな応力が作用しない。その結果、その応力によりハウジングに発生する反りや歪みを小さくすることができる。
【先行技術文献】
【特許文献】
【０００８】
【特許文献１】特開２０００−３２３２１５号公報
【発明の概要】
【発明が解決しようとする課題】
【０００９】
しかしながら、この従来の図８に示したコンタクトの保持構造にあっては、以下の問題点があった。
即ち、スロット１０２の対向する壁面から突出する複数の突起１０２ａ，１０２ｂが互い違い状に配置されているため、ハウジング１０１に作用する応力は軽減されるものの、その軽減量は十分ではない。コンタクト１１０がハウジング１０１に保持されたときには、複数の突起１０２ａ，１０２ｂ及び凸部１１３によってハウジング１０１には未だに応力が作用する。このため、その応力により未だにハウジングに反りや歪みが発生してしまうおそれがあった。
【００１０】
従って、本発明はこの問題点を解決するためになされたものであり、その目的は、コンタクトをハウジングに保持した際に、ハウジングに作用する応力を極力少なくして、ハウジングに発生する反りや歪みをなくしつつ、コンタクトをハウジングに確実に保持することができるコンタクトの保持構造を提供することにある。
【課題を解決するための手段】
【００１１】
上記目的を達成するために、本発明のうちある態様に係るコンタクトの保持構造は、コンタクトが挿入される側の上面と当該上面と反対側の下面との間を貫通するスロットを有するハウジングと、前記スロットに挿入されるスロット挿入部を有する前記コンタクトとを備えたコンタクトの保持構造であって、前記コンタクトは、前記スロット挿入部の下端に設けられた基板接続部と、前記スロット挿入部の上端に設けられ、前記ハウジングのコンタクトが挿入される側の前記上面に当接する当接部と、該当接部から延びる相手導体部との接触部とを備え、前記コンタクトの基板接続部に半田ボールが取り付けられ、該半田ボールと前記コンタクトの前記当接部とにより前記ハウジングを挟み込むことで前記コンタクトが前記ハウジングに保持されることを特徴としている。
【００１２】
また、このコンタクトの保持構造において、前記ハウジングは、前記スロットの下端であって前記下面に半田ボールを配置するための凹部を形成することが好ましい。
また、このコンタクトの保持構造において、前記当接部が前記ハウジングのコンタクトが挿入される側の前記上面に載置される、端縁及び両側縁を有する平板状に形成されていることが好ましい。
【００１３】
更に、このコンタクトの保持構造において、前記スロット挿入部は、前記当接部の両側縁から延びる１対のスロット挿入片で構成され、前記スロットは２個形成され、前記１対のスロット挿入片が前記２個のスロットに挿入されることが好ましい。
また、このコンタクトの保持構造において、前記スロット挿入部は、前記当接部の片側縁から延びる１個のスロット挿入片で構成され、前記スロットは１個形成され、前記１個のスロット挿入片が前記１個のスロットに挿入されていてもよい。
【００１４】
また、このコンタクトの保持構造において、前記スロット挿入部は、前記当接部の端縁から延びる１個のスロット挿入片で構成され、前記スロットは１個形成され、前記１個のスロット挿入片が前記１個のスロットに挿入されていてもよい。
また、このコンタクトの保持構造において、前記スロット挿入部は、前記当接部の端縁から延びる１個のスロット挿入片と、前記当接部の両側縁から延びる１対のスロット挿入片とで構成され、前記スロットは３個形成され、前記３個のスロット挿入片が前記３個のスロットに挿入されていてもよい。
【発明の効果】
【００１５】
本発明に係るコンタクトの保持構造によれば、コンタクトの基板接続部に半田ボールが取り付けられ、半田ボールとコンタクトの当接部とによりハウジングを挟み込むことでコンタクトがハウジングに保持される。このため、ハウジングにコンタクトを保持した際に、スロット内に挿入されるスロット挿入部からハウジングに作用する応力がほとんどなく、ハウジングに発生する反りや歪みをなくしつつ、コンタクトをハウジングに確実に保持することができる。
【図面の簡単な説明】
【００１６】
【図１】本発明に係るコンタクトの保持構造が適用される電気コネクタを相手コネクタ及び回路基板とともに示す斜視図である。
【図２】図１に示す電気コネクタにおけるコンタクトの保持構造を示し、（Ａ）はコンタクトを横断する方向に切断した状態の断面模式図、（Ｂ）は（Ａ）に対して直交する方向に切断した状態の断面模式図である。
【図３】コンタクトのハウジングへの保持方法を説明するもので、（Ａ），（Ｂ）はコンタクトのスロット挿入部をハウジングのスロットに挿入する前、（Ｃ）,（Ｄ）はコンタクトのスロット挿入部をハウジングのスロットに挿入した状態を示している。
【図４】コンタクトのハウジングへの保持方法を説明するもので、（Ａ），（Ｂ）はコンタクトの基板接続部に半田ボールを載せた状態、（Ｃ）,（Ｄ）は半田ボールを加熱してコンタクトの基板接続部に半田ボールを接続した状態、（Ｅ）,（Ｆ）は回路基板上に実装した状態を示している。
【図５】コンタクトの保持構造の第１変形例を示し、（Ａ）はコンタクトを横断する方向に切断した状態の断面図、（Ｂ）は（Ａ）に対して直交する方向に切断した状態の断面図である。
【図６】コンタクトの保持構造の第２変形例を示し、（Ａ）はコンタクトを横断する方向に切断した状態の断面図、（Ｂ）は（Ａ）に対して直交する方向に切断した状態の断面図である。
【図７】コンタクトの保持構造の第３変形例を示し、（Ａ）はコンタクトを横断する方向に切断した状態の断面図、（Ｂ）は（Ａ）に対して直交する方向に切断した状態の断面図である。
【図８】従来例のコンタクトの保持構造を示す断面図である。
【発明を実施するための形態】
【００１７】
以下、本発明の実施の形態を図面を参照して説明する。
図１に示す電気コネクタ１は、携帯電話やスマートフォンなどの情報端末機器や電子機器における回路基板ＰＣＢ上に実装され、相手コネクタ２が嵌合するようになっている。
ここで、相手コネクタ２は、導電性金属板で形成されるシールドシェル４０と、シールドシェル４０の下面に配置されたフレキシブルケーブル５０とからなっている。フレキシブルケーブル５０の下面には、複数の導電パッド（図示せず）が形成されている。
【００１８】
電気コネクタ１は、本実施形態に係るコンタクトの保持構造が適用されるものであり、ハウジング１０と、ハウジング１０に対して行列状に配置された複数のコンタクト２０と、金属製のシールドシェル３０とを備えている。
ここで、シールドシェル３０は、ハウジング１０の側面を覆うようにハウジング１０に取り付けられる。相手コネクタ２が電気コネクタ１に嵌合した際に、相手コネクタ２のシールドシェル４０が電気コネクタ１のシールドシェル３０にロックされるようになっている。
【００１９】
電気コネクタ１を構成するハウジング１０は、図１に示すように、前後方向（図１における上下方向）及び左右方向に延びる略矩形の平板状に形成され、合成樹脂を成形することによって形成される。ハウジング１０には、図２（Ａ）,（Ｂ）に示すように、２個のスロット１１を一組として複数組のスロット１１が行列状に形成されている。各組の２個のスロット１１は所定距離離れて互いに平行に配置され、各スロット１１は、コンタクト２０が挿入される側の上面１０ａと当該上面１０ａと反対側の下面１０ｂとの間を垂直に貫通する。各スロット１１の形状は、幅（図２（Ｂ）における左右方向長さ）が厚さ（図２（Ａ）における左右方向長さ）よりも大きい長方形長穴形状である。また、各組の２個のスロット１１の下端であってハウジング１０の下面１０ｂには、半田ボール２５を配置するための凹部１２が形成されている。
【００２０】
また、各コンタクト２０は、図２（Ａ）,（Ｂ）に示すように、ハウジング１０に形成された２個のスロット１１に挿入される１対のスロット挿入片２２ａからなるスロット挿入部２２を有する。また、各コンタクト２０は、スロット挿入部２２を構成する１対のスロット挿入片２２ａのそれぞれの下端に設けられた基板接続部２３を備えている。更に、各コンタクト２０は、スロット挿入部２２を構成する１対のスロット挿入片２２ａの上端に設けられた当接部２１を備えている。
【００２１】
各コンタクト２０の当接部２１は、ハウジング１０のコンタクト２０が挿入される側の上面１０ａに当接するものである。この当接部２１は、当該上面１０ａに載置される、端縁（図２（Ｂ）における左縁）及び両側縁（図２（Ａ）における左右側縁）を有する平板状に形成される。そして、１対のスロット挿入片２２ａは、当接部２１の両側縁から下方に直線状に折り曲げ形成された矩形状平板であり、互いに平行に配置された２個のスロット１１に挿入される。各スロット挿入片２２ａの幅（図２（Ｂ）における左右方向長さ）及び厚さ（図２（Ａ）における左右方向長さ）は、各スロット１１に挿入されるときにスロット１１の内壁から軽摩擦を受ける程度に設定される。ここで、軽摩擦とは、各コンタクト２０のスロット挿入片２２ａをスロット１１に挿入してハウジング１０を上下逆さまにしたときに、自重によって各コンタクト２０が落下しない程度の摩擦をいう。そして、各スロット１１に挿入されたスロット挿入片２２ａの下端は、半田ボール２５を配置するための凹部１２内に突出し、基板接続部２３が凹部１２内に位置する。
【００２２】
また、各コンタクト２０は、図２（Ｂ）に示すように、当接部２１の端縁とは反対側の端部（図２（Ｂ）における右端部）から延びる接触部２４を備えている。接触部２４は、相手コネクタ２に設けられた導電パッド（相手導体部）に接触するものである。この接触部２４は、当接部２１の前記端部からハウジング１０の上面１０ａに沿って延びる延出部２４ａと、延出部２４ａの端部で折り返すように湾曲する湾曲部２４ｂと、湾曲部２４ｂから斜め上方に直線状に延びる接触片２４ｃとを備えている。接触片２４ｃは、相手コネクタ２が電気コネクタ１に嵌合した際に、相手コネクタ２に設けられた導電パッドに弾性的に接触する。各コンタクト２０は、導電性金属板を打抜き及び曲げ加工することによって形成される。
【００２３】
また、１対のスロット挿入片２２ａの基板接続部２３には、図２（Ａ），（Ｂ）に示すように、１個の半田ボール２５が取り付けられる。基板接続部２３に取り付けられた半田ボール２５は、ハウジング１０に形成された凹部１２内に位置する。そして、半田ボール２５が基板接続部２３に取り付けられると、コンタクト２０の当接部２１と半田ボール２５とによりハウジング１０を上下方向から挟み込む。これにより、コンタクト２０がハウジング１０に保持される。
【００２４】
次に、図３（Ａ），（Ｂ），（Ｃ），（Ｄ）及び図４（Ａ）,（Ｂ），（Ｃ），（Ｄ），（Ｅ），（Ｆ）を参照して各コンタクト２０のハウジング１０への保持方法を詳細に説明する。
図３（Ａ），（Ｂ）には各コンタクト２０のスロット挿入部２２をハウジング１０のスロット１１に挿入する前の状態が示されている。
【００２５】
この状態から図３（Ｃ），（Ｄ）に示すように、各コンタクト２０のコンタクト挿入部２２を構成する１対のコンタクト挿入片２２ａを、ハウジング１０の上方から２個のスロット１１に挿入する。すると、各コンタクト２０の当接部２１が、ハウジング１０のコンタクト２０が挿入される側の上面１０ａに当接する。また、各コンタクト挿入片２２ａの下端にある基板接続部２３は、ハウジング１０に形成された凹部１２内に位置する。この際に、各コンタクト挿入片２２ａは、各スロット１１の内壁から軽摩擦を受け、ハウジング１０を上下逆さまにしても自重によって各コンタクト２０は落下しない。
【００２６】
次に、コンクト２０が挿入されたハウジング１０を上下逆さまにし、図４（Ａ）,（Ｂ）に示すように、球状の半田ボール２５を１対の基板接続部２３上に載せる。
その後、半田ボール２５を加熱し、図４（Ｃ）,（Ｄ）に示すように、半田ボール２５を各コンタクト２０の基板接続部２３に接続する。すると、半田ボール２５は、ハウジング１０に形成された凹部１２内に一杯に広がり、コンタクト２０の当接部２１と半田ボール２５とによりハウジング１０を上下方向から挟み込む。これにより、コンタクト２０がハウジング１０に保持される。
【００２７】
このため、ハウジング１０のスロット１１内に各コンタクト２０を保持した際に、スロット１１内に挿入されるスロット挿入部２２からハウジング１０に作用する応力がほとんどない。スロット挿入部２２からハウジング１０には、先に述べた軽摩擦が作用する程度である。従って、ハウジング１０に発生する反りや歪みをなくしつつ、各コンタクト２０をハウジング１０に確実に保持することができる。
【００２８】
そして、図４（Ｅ），（Ｆ）に示すように、各コンタクト２０の基板接続部２３をリフロー半田接続により半田ボール２５を介して回路基板ＰＣＢ上の導体パターン（図示せず）に接続する。これにより、電気コネクタ１は、回路基板ＰＣＢ上に実装される。
なお、本実施形態に係るコンタクトの保持構造において、スロット挿入部２２は、当接部２１の両側縁から延びる１対のスロット挿入片２２ａで構成されている。また、スロット１１は２個形成され、１対のスロット挿入片２２ａが２個のスロット１１に挿入されるようになっている。このため、球状の半田ボール２５を１対のスロット挿入片２２ａの先端にある基板接続部２３に取り付ける際に、半田ボール２５を１対の基板接続部２３の双方に跨るように載せればよい。従って、基板接続部２３上に載った半田ボール２５が安定し、半田ボール２５が基板接続部２３から落下しづらくなる。このため、半田ボール２５を基板接続部２３に安定して接続することができる。また、半田ボール２５に接続される基板接続部２３の数が２個であり、基板接続部２３を１個とする場合よりも、接続を確実に行うことができる。
【００２９】
次に、コンタクトの保持構造の第１変形例を図５（Ａ）,（Ｂ）を参照して説明する。図５（Ａ）,（Ｂ）において、図２（Ａ），（Ｂ）に示す部材と同一の部材については同一の符号を付し、その説明を省略することがある。
図５（Ａ），（Ｂ）に示すコンタクトの保持構造は、図２（Ａ），（Ｂ）に示すコンタクトの保持構造と基本構成は同様であるが、スロット挿入部２２の構成が異なっている。即ち、図２（Ａ），（Ｂ）に示すコンタクトの保持構造において、各コンタクト２０のスロット挿入部２２は、当接部２１の両側縁から下方に直線状に折り曲げ形成された１対のスロット挿入片２２ａで構成される。これに対して、図５（Ａ）、（Ｂ）に示すコンタクトの保持構造において、各コンタクト２０のスロット挿入部２２は、当接部２１の片側縁から延びる１個のスロット挿入片２２ｂで構成されている。そして、ハウジング１０には、各コンタクト２０が挿入される側の上面１０ａとその反対側の下面１０ｂとの間を貫通する１個のスロット１１が形成されている。１個のスロット１１といってもハウジング１０全体では複数のコンタクト２０に設けられたスロット挿入片２２ｂの数に対応する数のスロット１１が形成されている。そして、各コンタクト２０において、１個のスロット挿入片２２ｂが１個のスロット１１に挿入される。
【００３０】
各スロット１１の形状は、図２（Ａ）,（Ｂ）に示すスロット１１と同様に、幅（図５（Ｂ）における左右方向長さ）が厚さ（図５（Ａ）における左右方向長さ）よりも大きい長方形長穴形状である。そして、スロット挿入片２２ｂは、当接部２１の片側縁から下方に直線状に折り曲げ形成された矩形状平板である。スロット挿入片２２ｂの幅（図５（Ｂ）における左右方向長さ）及び厚さ（図５（Ａ）における左右方向長さ）は、各スロット１１に挿入されるときにスロット１１の内壁から軽摩擦を受ける程度に設定される。そして、スロット１１に挿入されたスロット挿入片２２ｂの下端は、半田ボール２５を配置するための凹部１２内に突出し、基板接続部２３が凹部１２内に位置する。
【００３１】
このコンタクトの保持構造の第１変形例においても、半田ボール２５を各コンタクト２０の基板接続部２３に接続する。すると、半田ボール２５は、ハウジング１０に形成された凹部１２内に一杯に広がり、各コンタクト２０の当接部２１と半田ボール２５とによりハウジング１０を上下方向から挟み込む。これにより、各コンタクト２０がハウジング１０に保持される。
【００３２】
このため、ハウジング１０にコンタクト２０を保持した際に、スロット１１内に挿入されるスロット挿入部２２からハウジング１０に作用する応力がほとんどない。スロット挿入部２２からハウジング１０には、先に述べた軽摩擦が作用する程度である。従って、ハウジング１０に発生する反りや歪みをなくしつつ、各コンタクト２０をハウジング１０に確実に保持することができる。
【００３３】
次に、コンタクトの保持構造の第２変形例を図６（Ａ）,（Ｂ）を参照して説明する。図６（Ａ）,（Ｂ）において、図２（Ａ），（Ｂ）に示す部材と同一の部材については同一の符号を付し、その説明を省略することがある。
図６（Ａ），（Ｂ）に示すコンタクトの保持構造は、図２（Ａ），（Ｂ）に示すコンタクトの保持構造と基本構成は同様であるが、スロット挿入部２２の構成が異なっている。即ち、図２（Ａ），（Ｂ）に示すコンタクトの保持構造において、各コンタクト２０のスロット挿入部２２は、当接部２１の両側縁から下方に折り曲げ形成された１対のスロット挿入片２２ａで構成される。これに対して、図６（Ａ）、（Ｂ）に示すコンタクトの保持構造において、各コンタクト２０のスロット挿入部２２は、当接部２１の端縁から延びる１個のスロット挿入片２２ｃで構成されている。そして、ハウジング１０には、各コンタクト２０が挿入される側の上面１０ａとその反対側の下面１０ｂとの間を貫通する１個のスロット１１が形成されている。１個のスロット１１といってもハウジング１０全体では複数のコンタクト２０に設けられたスロット挿入片２２ｃの数に対応する数のスロット１１が形成されている。このスロット１１の延びる方向は、図２（Ａ）,（Ｂ）に示すスロット１１の延びる方向と直交する方向である。そして、各コンタクト２０において、１個のスロット挿入片２２ｃが１個のスロット１１に挿入される。
【００３４】
各スロット１１の形状は、幅（図６（Ａ）における左右方向長さ）が厚さ（図６（Ｂ）における左右方向長さ）よりも大きい長方形長穴形状である。そして、スロット挿入片２２ｃは、当接部２１の端縁から下方に直線状に折り曲げ形成された矩形状平板である。スロット挿入片２２ｃの幅（図６（Ａ）における左右方向長さ）及び厚さ（図６（Ｂ）における左右方向長さ）は、各スロット１１に挿入されるときにスロット１１の内壁から軽摩擦を受ける程度に設定される。そして、スロット１１に挿入されたスロット挿入片２２ｃの下端は、半田ボール２５を配置するための凹部１２内に突出し、基板接続部２３が凹部１２内に位置する。
【００３５】
このコンタクトの保持構造の第２変形例においても、半田ボール２５を各コンタクト２０の基板接続部２３に接続する。すると、半田ボール２５は、ハウジング１０に形成された凹部１２内に一杯に広がり、各コンタクト２０の当接部２１と半田ボール２５とによりハウジング１０を上下方向から挟み込む。これにより、各コンタクト２０がハウジング１０に保持される。
【００３６】
このため、ハウジング１０にコンタクト２０を保持した際に、スロット１１内に挿入されるスロット挿入部２２からハウジング１０に作用する応力がほとんどない。スロット挿入部２２からハウジング１０には、先に述べた軽摩擦が作用する程度である。従って、ハウジング１０に発生する反りや歪みをなくしつつ、各コンタクト２０をハウジング１０に確実に保持することができる。
更に、コンタクトの保持構造の第３変形例を図７（Ａ）,（Ｂ）を参照して説明する。図７（Ａ）,（Ｂ）において、図２（Ａ），（Ｂ）に示す部材と同一の部材については同一の符号を付し、その説明を省略することがある。
【００３７】
図７（Ａ），（Ｂ）に示すコンタクトの保持構造は、図２（Ａ），（Ｂ）に示すコンタクトの保持構造と基本構成は同様であるが、スロット挿入部２２の構成が異なっている。即ち、図２（Ａ），（Ｂ）に示すコンタクトの保持構造において、各コンタクト２０のスロット挿入部２２は、当接部２１の両側縁から下方に折り曲げ形成された１対のスロット挿入片２２ａで構成される。これに対して、図７（Ａ）、（Ｂ）に示すコンタクトの保持構造において、各コンタクト２０のスロット挿入部２２は、当接部２１の端縁から延びる１個のスロット挿入片２２ｄと、当接部２１の両側縁から延びる１対のスロット挿入片２２ｅ（一方のスロット挿入片２２ｅのみ図示）とで構成されている。そして、ハウジング１０には、各コンタクト２０が挿入される側の上面１０ａとその反対側の下面１０ｂとの間を貫通する３個のスロット１１が形成されている。３個のスロット１１といってもハウジング１０全体では複数のコンタクト２０に設けられたスロット挿入片２２ｄ，２２ｅの数に対応する数のスロット１１が形成されている。そして、この３個のスロット１１のうち２個のスロット１１は、図２（Ａ）,（Ｂ）に示すスロット１１と同一の方向に延びて互いに平行に配置される。また、残りの１個のスロット１１は、これら２個のスロット１１と直交する方向に延びる。そして、各コンタクト２０において、２個のスロット挿入片２２ｅが、互いに平行に配置される２個のスロット１１に挿入され、１個のスロット挿入片２２ｄが、残り１個のスロット１１に挿入される。
【００３８】
ここで、２個のスロット挿入片２２ｅが挿入される２個のスロット１１の各々の形状は、幅（図７（Ｂ）における左右方向長さ）が厚さ（図７（Ａ）における左右方向長さ）よりも大きい長方形長穴形状である。また、残り１個のスロット１１の形状は、幅（図７（Ａ）における左右方向長さ）が厚さ（図７（Ｂ）における左右方向長さ）よりも大きい長方形長穴形状である。そして、２個のスロット挿入片２２ｅは、当接部２１の両側縁から下方に直線状に折り曲げ形成された矩形状平板である。また、１個のスロット挿入片２２ｄは、当接部２１の端縁から下方に直線状に折り曲げ形成された矩形状平板である。２個のスロット挿入片２２ｅの幅（図７（Ｂ）における左右方向長さ）及び厚さ（図７（Ａ）における左右方向長さ）は、２個のスロット１１に挿入されるときにスロット１１の内壁から軽摩擦を受ける程度に設定される。また、１個のスロット挿入片２２ｄの幅（図７（Ａ）における左右方向長さ）及び厚さ（図７（Ｂ）における左右方向長さ）は、該当するスロット１１に挿入されるときにスロット１１の内壁から軽摩擦を受ける程度に設定される。そして、３個のスロット１１に挿入されたスロット挿入片２２ｄ，２２ｅの下端は、半田ボール２５を配置するための凹部１２内に突出し、基板接続部２３が凹部１２内に位置する。
【００３９】
このコンタクトの保持構造の第３変形例においても、半田ボール２５を各コンタクト２０の基板接続部２３に接続する。すると、半田ボール２５は、ハウジング１０に形成された凹部１２内に一杯に広がり、コンタクト２０の当接部２１と半田ボール２５とによりハウジング１０を上下方向から挟み込む。これにより、各コンタクト２０がハウジング１０に保持される。
【００４０】
このため、ハウジング１０に各コンタクト２０を保持した際に、スロット１１内に挿入されるスロット挿入部２２からハウジング１０に作用する応力がほとんどない。スロット挿入部２２からハウジング１０には、先に述べた軽摩擦が作用する程度である。従って、ハウジング１０に発生する反りや歪みをなくしつつ、各コンタクト２０をハウジング１０に確実に保持することができる。
【００４１】
また、コンタクトの保持構造の第３変形例において、スロット挿入部２２は、当接部２１の端縁から延びる１個のスロット挿入片２２ｄと、当接部２１の両側縁から延びる１対のスロット挿入片２２ｅとで構成されている。また、スロット１１は３個形成され、３個のスロット挿入片２２ｄ，２２ｅが３個のスロット１１に挿入されるようになっている。このため、球状の半田ボール２５を３個のスロット挿入片２２ｄ，２２ｅの先端にある基板接続部２３に取り付ける際に、半田ボール２５を３個の基板接続部２３に跨るように載せればよい。従って、基板接続部２３上に載った半田ボール２５がより安定し、半田ボール２５が基板接続部２３からより落下しづらくなる。このため、半田ボール２５を基板接続部２３により一層安定して接続することができる。また、半田ボール２５に対する基板接続部２３の数が３個であり、２個の基板接続部２３で接続する場合よりも、より確実に接続することができる。
【００４２】
以上、本発明の実施形態について説明してきたが、本発明はこれに限定されずに種々の変更、改良を行うことができる。
例えば、電気コネクタ１に嵌合される相手コネクタは、フレキシブルケーブル５０が接続される相手コネクタ２に限らず、リジッド基板やＬＳＩ等の集積回路（ＩＣ）であってもよい。また、ＢＧＡであってもよい。
【００４３】
また、スロット挿入部２２は、ハウジング１０に形成されたスロット１１に挿入されるものであれば、当接部２１の両側縁から延びる１対のスロット挿入片２２ａや当接部２１の片側縁から延びる１個のスロット挿入片２２ｂでなくてもよい。また、スロット挿入部２２は、当接部２１の端縁から延びる１個のスロット挿入片２２ｃや当接部２１の端縁から延びる１個のスロット挿入片２２ｄ及び当接部２１の両側縁から延びる１対のスロット挿入片２２ｅで構成される必要は必ずしもない。
【００４４】
更に、当接部２１は、ハウジング１０のコンタクト２０が挿入される側の上面１０ａに当接する形状であればよく、当該上面１０ａに載置される形状に形成されている必要は必ずしもない。
また、接触部２４は、相手コネクタ２の導電パッド（相手導体部）に接触する形状であればよく、延出部２４ａ、湾曲部２４ｂ、及び接触片２４ｃを備えている必要は必ずしもない。
更に、ハウジング１０の凹部１２は必ずしも形成する必要はなく、半田ボール２５は凹ハウジングの下面に配置されてもよい。
【符号の説明】
【００４５】
１０  ハウジング
１０ａ  上面
１０ｂ  下面
１１  スロット
１２  凹部
２０  コンタクト
２１  当接部
２２  スロット挿入部
２２ａ  スロット挿入片
２２ｂ  スロット挿入片
２２ｃ  スロット挿入片
２２ｄ  スロット挿入片
２２ｅ  スロット挿入片
２３  基板接続部
２４  接触部
２５  半田ボール
【図１】
2014060120.tif 000003
【図２】
2014060120.tif 000004
【図３】
2014060120.tif 000005
【図４】
2014060120.tif 000006
【図５】
2014060120.tif 000007
【図６】
2014060120.tif 000008
【図７】
2014060120.tif 000009
【図８】
2014060120.tif 000010